(57)【要約】【課題】携帯端末機のディスプレイ部に表示される仮想画面上の特定位置の位置情報を簡便かつ迅速に検索して移動し得る仮想画面移動装置及び方法を提供する。【解決手段】仮想画面移動装置は、ディスプレイ部に表示される画像の基準点及び移動先画像の目標点の方位を読み取り、基準点に対する目標点の方向及び距離を計算する処理部１２０と、処理部１２０の計算結果に応じて調節された電圧を基準電圧としてフィードバックして携帯端末機の傾斜を感知する傾斜センサ部１４０と、傾斜センサ部１４０で感知した傾斜に応じて移動する画像を表示するディスプレイ部１１０とから構成される。【選択図】図１
2006190292.tif 000002
【特許請求の範囲】
【請求項１】
ディスプレイ部に表示される画像の基準点に対する移動先画像の目標点の方向及び距離を計算する処理部と、
該処理部の計算結果に応じて調節された電圧を基準電圧として携帯端末機の傾斜を感知する傾斜センサ部と、
前記傾斜センサ部で感知した傾斜に応じて移動する画像を表示するディスプレイ部と、
を含んで構成されることを特徴とする携帯端末機における仮想画面移動装置。
【請求項２】
前記処理部の計算結果に応じてスイッチ方式で電圧を分配して基準電圧を調節する電圧分配部をさらに含むことを特徴とする請求項１に記載の携帯端末機における仮想画面移動装置。
【請求項３】
前記処理部は、
ディスプレイ部に表示中の画像の基準点及び移動先画像の目標点の座標値を読み取り、該基準点に対する該目標点の方向及び距離を計算することを特徴とする請求項１に記載の携帯端末機における仮想画面移動装置。
【請求項４】
前記基準点は、
前記ディスプレイ部に表示中の画像の中心となる点であることを特徴とする請求項３に記載の携帯端末機における仮想画面移動装置。
【請求項５】
前記目標点は、ユーザが携帯端末機を傾けるとき、傾ける方向に応じて前記ディスプレイ部に表示中の画像から移動する移動先画像の中心となる点であることを特徴とする請求項３に記載の携帯端末機における仮想画面移動装置。
【請求項６】
前記傾斜センサ部は、
前記処理部で計算された値に応じて調節された基準電圧で携帯端末機の傾斜を感知し、前記感知された傾斜値を前記処理部に送ることを特徴とする請求項３に記載の携帯端末機における仮想画面移動装置。
【請求項７】
前記処理部は、
傾斜センサ部から傾斜値を受けて、傾斜の方向及び程度に応じて前記ディスプレイ部に表示される画像を移動させることを特徴とする請求項６に記載の携帯端末機における仮想画面移動装置。
【請求項８】
ディスプレイ部に表示中の画像の基準点及び移動先画像の目標点の座標値を読み取り、該基準点に対する該目標点の方向及び距離を計算する段階と、
前記計算された値を基準電圧としてフィードバックする段階と、
前記フィードバックされた基準電圧を用いて携帯端末機の傾斜を感知する段階と、
前記感知された傾斜に応じてディスプレイ部に表示される画像を移動させる段階と、
を含んで構成されることを特徴とする携帯端末機における仮想画面移動方法。
【請求項９】
前記基準点は、
前記ディスプレイ部に表示中の画像の中心となる点であることを特徴とする請求項８に記載の携帯端末機における仮想画面移動方法。
【請求項１０】
前記目標点は、
ユーザが携帯端末機を傾けるとき、傾ける方向に応じて前記ディスプレイ部に表示中の画像から移動する移動先画像の中心となる点であることを特徴とする請求項８に記載の携帯端末機における仮想画面移動方法。
【請求項１１】
前記基準電圧は、
電圧分配によりフィードバックされることを特徴とする請求項８に記載の携帯端末機における仮想画面移動方法。
【請求項１２】
前記基準電圧は、
直接電圧を調節する方法でフィードバックされることを特徴とする請求項８に記載の携帯端末機における仮想画面移動方法。
【発明の詳細な説明】
【技術分野】
【０００１】
本発明は、携帯端末機に関し、特に、携帯端末機のディスプレイ部に表示される仮想画面上の特定位置の位置情報を簡便かつ迅速に検索して移動し得る仮想画面移動装置及び方法に関する。
【背景技術】
【０００２】
最近、携帯端末機は、通話機能以外にも高機能カメラ及び高画質のディスプレイ部を備え、さらに、原音に近い音を出力することができ、携帯用エンターテイメントシステムと呼ばれるほど進展している。バッテリパック製造技術など、関連技術の発達により、携帯端末機は小型化及び軽量化され、ユーザの利便性は大幅に向上した。
【０００３】
しかしながら、液晶表示装置のような携帯端末機のディスプレイ部は、画素数は多くなったが、そのサイズの制約により、地図やインターネットウェブページなどを見るときは不便であった。
【０００４】
このような不便を解消するために、画像を拡大して全画面の一部のみをディスプレイ部に表示し、特定のボタンを押すか、携帯端末機を前後左右に傾けることにより、ディスプレイ部に表示された画像を上下にスクロールしたり左右に移動させたりする、仮想画面を利用した方法が考案された。
【０００５】
従来の仮想画面を利用した方法では、アナログデバイス社のＡＤＸＬ２０２のような特定傾斜センサが使用されるが、傾斜センサが携帯端末機のＸ軸及びＹ軸への傾斜を感知し、傾斜に対する出力値であるＸ、Ｙ値を出力すると、ＣＰＵがＸ、Ｙ値を受けて計算してディスプレイ部の画像を移動させる。
【０００６】
このような従来技術では、一定の重力加速度（ｇ）値を用いて傾斜センサで感知されたＸ、Ｙの変量によって画像を移動させるため、画像が詳細であるか否かに関係なくユーザが携帯端末機を傾けた程度に比例して画像が移動していた。従って、携帯端末機で動作中のアプリケーションに関係なく、所定の割合で画像を動かすため、使用に不便であるという問題があった。
【０００７】
例えば、ユーザが地図を検索しているときに携帯端末機を１５度傾けた場合やゲームをしているときに携帯端末機を１５度傾ける場合に画像移動結果が同様であるため、ユーザは異なるアプリケーションを使用する度に環境設定により感度を再調節しなければならないという不都合な点があった。
【発明の開示】
【発明が解決しようとする課題】
【０００８】
本発明は、このような問題を解決するために提案されたもので、本発明の目的は、携帯端末機のディスプレイ部に表示される仮想画面上の特定位置の位置情報を簡便かつ迅速に検索して移動し得る仮想画面移動装置及び方法を提供することにある。
【課題を解決するための手段】
【０００９】
このような目的を達成するために、本発明に係る仮想画面移動装置は、ディスプレイ部に表示される画像の基準点に対する移動先画像の目標点の方向及び距離を計算する処理部と、該処理部の計算結果に応じて調節された電圧を基準電圧としてフィードバックして携帯端末機の傾斜を感知する傾斜センサ部と、前記傾斜センサ部で感知した傾斜に応じて移動する画像を表示するディスプレイ部と、を含んで構成されることを特徴とする。
【００１０】
好ましくは、前記仮想画面移動装置は、前記処理部の計算結果に応じてスイッチ方式で電圧を分配して基準電圧を調節する電圧分配部をさらに含むことを特徴とする。
【００１１】
また、このような目的を達成するために、本発明に係る仮想画面移動方法は、ディスプレイ部に表示されている画像の基準点及び移動先画像の目標点の座標値を読み取り、該基準点に対する該目標点の方向及び距離を計算する段階と、前記計算された値を基準電圧としてフィードバックする段階と、前記フィードバックされた基準電圧を用いて携帯端末機の傾斜を感知する段階と、前記感知された傾斜に応じてディスプレイ部に表示される画像を移動させる段階と、を含んで構成されることを特徴とする。
【００１２】
好ましくは、前記基準電圧は、電圧分配によりフィードバックされるか、又は直接電圧を調節する方法でフィードバックされる。
【発明の効果】
【００１３】
本発明に係る携帯端末機における仮想画面移動装置及び方法は、実際に携帯端末機のディスプレイ部に表示される画像の基準点に対する移動先画像の目標点の距離及び方向を計算し、計算された値に応じて基準電圧をフィードバックし、そのフィードバックされた基準電圧により携帯端末機の傾斜を感知することで、画像における特定位置の位置情報を迅速かつ簡便に検索でき、アプリケーションにより感度を調節し、最適化された仮想画面移動を行うことができるという効果がある。
【発明を実施するための最良の形態】
【００１４】
以下、添付図面に基づいて本発明の好ましい実施形態について説明する。
【００１５】
図１は、本発明に係る仮想画面移動装置の構成を示す構成図である。
【００１６】
図１に示すように、本発明に係る仮想画面移動装置１００は、ディスプレイ部１１０に表示される画像の基準点及び移動先画像の目標点の座標値を読み取り、基準点に対する目標点の方向及び距離を計算する処理部１２０と、処理部１２０の計算結果に応じてスイッチ方式で電圧を分配する電圧分配部１３０と、電圧分配部１３０で分配された電圧を基準電圧として携帯端末機の傾斜を感知する傾斜センサ部１４０と、傾斜センサ部１４０で感知した傾斜に応じて移動する画像を表示するディスプレイ部１１０とから構成される。
【００１７】
処理部１２０は、ディスプレイ部１１０に表示中の画像の基準点及び移動先画像の目標点の座標値を読み取り、基準点に対する目標点の方向及び距離を計算する。
【００１８】
基準点は、ディスプレイ部１１０に表示中の画像の中心となる点であり、目標点は、ユーザが携帯端末機を傾けるとき、傾ける方向に応じてディスプレイ部に表示中の画像から移動する移動先画像の中心となる点又はアプリケーションによって目標となる点である。基準点及び目標点は、携帯端末機で使用中のアプリケーションによって変化する。なお、かかる基準点及び目標点は、アプリケーションごとに予め設定されているだけでなく、処理部１２０により任意に設定されても良い。
【００１９】
例えば、ユーザが携帯端末機で電子地図を使用中である場合、全体地図のうち現在ディスプレイ部１１０に表示されている所定の地図の中心となる地点が基準点となり、ここで、ユーザが右に携帯端末機を傾けた場合、現在ディスプレイ部１１０に表示されている地図の右側にある地図、すなわち、画像が移動してディスプレイ部１１０に表示される地図の中心となる地点が目標点である。地図の中心となる地点は、有名な地形地物、例えば、有名な山や湖、又は病院のような特定の建物である。
【００２０】
他の例として、ユーザが携帯端末機で弓道ゲームをする場合、弓を引く位置が基準点となり、的が目標点となる。
【００２１】
電子地図の場合は、弓道ゲームの場合より基準点と目標点との距離が遠い。従って、ユーザの便宜のために基準点と目標点との距離に応じて基準電圧を調節する。すなわち、基準点と目標点との距離が遠い場合は基準電圧を高く設定し、基準点と目標点との距離が近い場合は基準電圧を低く設定することで、アプリケーションが変化してもユーザが常に一定の角度に傾けるだけでアプリケーションに応じた適切な調節が可能になる。
【００２２】
一方、処理部１２０は、計算された結果に応じて、電圧分配部１３０により傾斜センサ部１４０の基準電圧を変化させるか、処理部１２０が直接傾斜センサ部１４０の基準電圧を調節する。すなわち、電圧分配部１３０は、省略することができる。基準電圧を変化させることは、重力加速度（ｇ）値を変化させることを意味する。
【００２３】
電圧分配部１３０は、複数のスイッチと抵抗とから構成され、複数のスイッチを制御して１つ以上の抵抗により調節された電圧を傾斜センサ部１４０に印加することで傾斜センサ部１４０の基準電圧を調節する。
【００２４】
傾斜センサ部１４０は、処理部１２０で計算された値に応じて調節された基準電圧で携帯端末機の傾斜を感知し、感知された傾斜値を処理部１２０に送る。傾斜値を受けた処理部１２０は、傾斜の方向及び程度に応じてディスプレイ部１１０に表示される画像を移動させる。
【００２５】
図２は、本発明に係る仮想画面移動方法を示すフローチャートである。
【００２６】
図２に示すように、携帯端末機において、ディスプレイ部に表示中の画像の基準点及び移動先画像の目標点の座標値が読み取られ、基準点に対する目標点の方向及び距離が計算される（Ｓ２１０）。
【００２７】
更に、計算された値に基づいて調節された基準電圧がフィードバックされる（Ｓ２２０）。このとき、電圧分配により基準電圧がフィードバックされることもでき、直接電圧を調節する方法で基準電圧がフィードバックされることもできる。
【００２８】
基準電圧のフィードバックが完了すると、フィードバックされた基準電圧を用いて携帯端末機の傾斜が感知され（Ｓ２３０）、感知された傾斜に応じてディスプレイ部に表示される画像が移動される（Ｓ２４０）。
【図面の簡単な説明】
【００２９】
【図１】本発明に係る仮想画面移動装置の構成を示す構成図
【図２】本発明に係る仮想画面移動方法を示すフローチャート
【符号の説明】
【００３０】
１１０：ディスプレイ部
１２０：処理部
１３０：電圧分配部
１４０：傾斜センサ部
【図１】
2006190292.tif 000003
【図２】
2006190292.tif 000004